【手続補正書】
【提出日】令和3年9月10日(2021.9.10)
【手続補正１】
【補正対象書類名】明細書
【補正対象項目名】００３２
【補正方法】変更
【補正の内容】
【００３２】
この例では、巻回部２１、２２を軸方向から見た端面形状が矩形状である。つまり、巻回部２１、２２は、４つの平面と４つの角部とを有する。巻回部２１、２２の角部は丸められている。巻回部２１、２２の外周面は実質的に平面で構成されている。そのため、巻回部２１、２２の外周面とケース５における側壁部５２の内周面とは、図１Ｂ及び図１Ｃに示すように、平面同士で対向できる。従って、巻回部２１、２２の外周面とケース５における側壁部５２の内周面との対向面積が大きく確保され易い。また、巻回部２１、２２の外周面とケース５における側壁部５２の内周面との間隔が小さくなり易い。
【手続補正２】
【補正対象書類名】明細書
【補正対象項目名】００５１
【補正方法】変更
【補正の内容】
【００５１】
張出し部４５の形状は、特に限定されない。この例では、図１Ａに示すように、張出し部４５の形状が平面視で矩形状である。張出し部４５の形状は、平面視で矩形状に限らず、多角形状、半円形状、半楕円形状など、その他の形状であってもよい。多角形状としては、例えば三角形状、台形状などが挙げられる。張出し部４５の大きさは、所定の大きさの隙間４６が形成されるように設定されている。例えば、張出し部４５の突出長さは５ｍｍ以上１５ｍｍ以下、更に６ｍｍ以上１２ｍｍ以下が挙げられる。張出し部４５の突出長さが大き過ぎると、長辺部５４１、５４２の長さが長くなり、ケース５が大型化する。また、張出し部４５の幅は、保持部材４１の幅よりも小さい。張出し部４５の幅は、少なくとも一方の長辺部５４１、５４２と張出し部４５の外周面との間隔が５ｍｍ以上、更に６ｍｍ以上となるように設定されていることが挙げられる。
【手続補正３】
【補正対象書類名】明細書
【補正対象項目名】００５２
【補正方法】変更
【補正の内容】
【００５２】
張出し部４５の厚みは、容易に変形や折損したりしない程度の厚みを有する。ここでの厚みは、高さ方向の寸法、即ち図１Ｂの紙面上下方向の寸法である。本例の張出し部４５の厚みは、保持部材４１の厚みの半分弱程度である。張出し部４５の厚みは、保持部材４１全体の厚みと同等であってもよいし、保持部材４１全体の厚みよりもさらに大きくてもよい。例えば、張出し部４５が、一方の保持部材４１から他方の保持部材４２側まで棒状に伸延されていてもよい。張出し部４５の厚みを大きくすれば、封止樹脂部６となる樹脂の使用量が減少するため、その分、製造コストを削減できる。
【手続補正４】
【補正対象書類名】明細書
【補正対象項目名】００７１
【補正方法】変更
【補正の内容】
【００７１】
また、本例のように、巻回部２１、２２の外周面が実質的に平面で構成される場合、巻回部２１、２２と側壁部５２との対向面積が大きく確保される。更に、巻回部２１、２２の外周面と側壁部５２の内周面との間隔が小さくなり易い。本例の場合、巻回部２１、２２の外周面と長辺部５４１、５４２の内面との間隔、及び巻回部２２の外周面と短辺部５３２との間隔が小さくなり易い。よって、リアクトル１Ａは、ケース５を放熱経路として効率よく利用できる。そのため、リアクトル１Ａは、コイル２の熱をケース５に放出し易く、組合体１０の放熱性に優れる。
【手続補正５】
【補正対象書類名】明細書
【補正対象項目名】００８１
【補正方法】変更
【補正の内容】
【００８１】
（第２の工程）
第２の工程では、ケース５の開口部５５から組合体１０をケース５に収納する。組合体１０の配置形態が直立型となるように、組合体１０をケース５に収納する。具体的には、図４Ｂに示すように、両巻回部２１、２２の各々の軸方向が底板部５１と直交し、かつ、両巻回部２１、２２の並列方向が長辺部５４１、５４２（図４Ａ）に沿うように、組合体１０をケース５に収納する。本例の場合、保持部材４１の張出し部４５によって、組合体１０をケース５に対して位置決めすることができる。
【手続補正６】
【補正対象書類名】明細書
【補正対象項目名】００９０
【補正方法】変更
【補正の内容】
【００９０】
｛主要な効果｝
実施形態１のリアクトル１Ａは以下の効果を奏する。
組合体１０の配置形態が直立型であるため、ケース５の底板部５１に対する組合体１０の設置面積が小さくなる。よって、リアクトル１Ａは、小型化が可能である。また、組合体１０の配置形態が直立型であれば、巻回部２１、２２と側壁部５２との対向面積が大きくなり易く、かつ、巻回部２１、２２と側壁部５２との間隔が小さくなり易い。そのため、リアクトル１Ａは、コイル２の熱をケース５に放出し易く、組合体１０の放熱性を向上できる。
【手続補正７】
【補正対象書類名】明細書
【補正対象項目名】０１００
【補正方法】変更
【補正の内容】
【０１００】
（張出し部）
張出し部４５は、図５Ｂに示すように、ケース５の底板部５１（図１Ｂ）側に位置する第一面４５１と、ケース５の開口部５５側に位置する第二面４５２とを備える。そして、張出し部４５は、図５Ａ及び図５Ｂに示すように、第一面４５１と第二面４５２とを貫通する貫通孔４５３を備える。この例では、貫通孔４５３は、張出し部４５において、幅方向の中央に１つ設けられている。貫通孔４５３は、張出し部４５に複数設けられていてもよい。
【手続補正８】
【補正対象書類名】明細書
【補正対象項目名】０１０４
【補正方法】変更
【補正の内容】
【０１０４】
他に、実施形態２のリアクトル１Ｂは、張出し部４５に貫通孔４５３を備えることで、封止樹脂部６を形成する際、一方の短辺部５３１側における樹脂の充填状態を貫通孔４５３から確認することができる。また、実施形態２のリアクトル１Ｂは、張出し部４５に貫通孔４５３を備えることで、封止樹脂部６を形成する際、一方の短辺部５３１側に充填される樹脂に混入した気泡を貫通孔４５３から脱気することができる。
【手続補正９】
【補正対象書類名】明細書
【補正対象項目名】０１０７
【補正方法】変更
【補正の内容】
【０１０７】
（取付け座）
取付け座５６は、図６Ｂに示すように、短辺部５３１からケース５内に突出して、張出し部４５における底板部５１側を支持する。取付け座５６は、図６Ａに示すように、リアクトル１Ｃを平面視したとき、張出し部４５と重なるように設けられている。この例では、取付け座５６は、底板部５１から短辺部５３１の内面に沿って延びるように形成されている。取付け座５６は、ケース５の開口部５５側の上面にネジ穴５７を有する。
【手続補正１０】
【補正対象書類名】明細書
【補正対象項目名】０１１４
【補正方法】変更
【補正の内容】
【０１１４】
（突起部）
突起部４７、４８は、図８Ａ及び図８Ｂに示すように、保持部材４１の外壁部４０からケース５の内周面に向かって設けられる。第一の突起部４７は、ケース５の長辺部５４１、５４２に対向する面に設けられる。第二の突起部４８は、ケース５の他方の短辺部５３２に対向する面に設けられる。つまり、第二の突起部４８は、外壁部４０における張出し部４５と対向する面に設けられる。
【手続補正１１】
【補正対象書類名】明細書
【補正対象項目名】０１１６
【補正方法】変更
【補正の内容】
【０１１６】
実施形態４のリアクトル１Ｄは、外壁部４０に突起部４７、４８を備えることで、巻回部２１，２２と長辺部５４１、５４２との間隔、及び巻回部２２と短辺部５３２との間隔を適切に維持し易い。突起部４７、４８は、外壁部４０における対向する面に接していてもよい。突起部４７が長辺部５４１、５４２の各々の内面に接することで、ケース５に対して組合体１０の幅方向を位置決めし易い。また、突起部４８が短辺部５３２の内面に接することで、ケース５に対して組合体１０の長さ方向を位置決めし易い。特に、側壁部５２の内周面が底板部５１側から開口部５５側に向かって広がるように傾斜する場合、突起部４７、４８が長辺部５４１、５４２の内面及び短辺部５３２の内面にそれぞれ接することで、ケース５内で組合体１０が過度に傾くことを抑制できる。
【手続補正１２】
【補正対象書類名】図面
【補正対象項目名】図１Ｃ
【補正方法】変更
【補正の内容】
【図１Ｃ】
2020194953.tif 000001
【手続補正１３】
【補正対象書類名】図面
【補正対象項目名】図５Ｂ
【補正方法】変更
【補正の内容】
【図５Ｂ】
2020194953.tif 000002
【手続補正１４】
【補正対象書類名】図面
【補正対象項目名】図８Ａ
【補正方法】変更
【補正の内容】
【図８Ａ】
2020194953.tif 000003